(57)【要約】【課題】ハンチング現象が発生しても、短時間でハンチング現象を解消し、混合弁の耐久性を向上させることができる貯湯式給湯器を提供すること。【解決手段】湯水を貯える貯湯タンク１と、貯湯タンク１より高温水を出湯する第１出湯管１２と、水を供給する給水管３と、湯と水を混合する第１湯水混合装置１４と、第１湯水混合装置１４によって混合した湯水を給湯端末へ供給する第１給湯管４１と、湯の流量を検出する第１流量検知手段１６と、湯水の温度を検出する第１温度検出手段１５と、第１湯水混合装置１４を制御する制御装置３０とを備え、第１温度検出手段１５で検出される温度が、設定温度に対して所定温度以上であることを検出し、その後、設定温度に対して所定温度以下であることを検出する温度変化状態を、制御装置３０が複数回検出した際に、第１湯水混合装置１４の駆動速度を遅くする。【選択図】図１
2009063276.tif 000002
【特許請求の範囲】
【請求項１】
湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度が上下に周期的に変動する状態を、前記制御装置が複数回検出した際に、前記第１湯水混合装置の駆動速度を遅くすることを特徴とする貯湯式給湯器。
【請求項２】
湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度が上下に周期的に変動する状態を、前記制御装置が複数回検出した際に、前記第１湯水混合装置を所定位置に駆動することを特徴とする貯湯式給湯器。
【請求項３】
湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度が上下に周期的に変動する状態を、前記制御装置が複数回検出した際に、前記第１湯水混合装置を所定位置に駆動するとともに、前記第１湯水混合装置の駆動速度を遅くすることを特徴とする貯湯式給湯器。
【請求項４】
前記貯湯タンクの下部から水を取り出して加熱部に供給し、前記加熱部で温水を生成して前記貯湯タンクの上部に湯を供給することを特徴とする請求項１〜３のいずれか１項に記載の貯湯式給湯器。
【請求項５】
前記加熱部はヒートポンプであることを特徴とする請求項４に記載の貯湯式給湯器。
【請求項６】
前記ヒートポンプに使用する冷媒は二酸化炭素であることを特徴とする請求項５に記載の貯湯式給湯器。
【発明の詳細な説明】
【技術分野】
【０００１】
本発明は、貯湯式給湯器に関連し、特に、混合弁の駆動制御に関するものである。
【背景技術】
【０００２】
従来の貯湯タンクに湯を貯めてカラン等へ湯を供給する給湯器は、貯湯タンクの湯と給水源からの水とを混合して、カラン等の給湯端末へ適温の湯を供給している。しかしながら、混合弁の駆動速度によっては、貯湯タンクから出湯する湯の圧力と、給水源から給水される水の圧力とのバランスが崩れ、その結果、混合弁から出湯する湯の温度が、設定温度から上下に変動し、オーバーシュートおよびアンダーシュートを発生してしまう、いわゆるハンチング現象が発生する。
【０００３】
一方、カラン等の給湯端末へ湯を供給すると同時に、浴室等の浴槽へ湯を供給する際に、各混合弁においてハンチング現象が発生する可能性があるため、ハンチング現象を防止するために、優先度の低い混合弁の駆動速度を、低速モードに切り替えていた（例えば、特許文献１参照）。
【特許文献１】特開２００２−４８４０９号公報
【発明の開示】
【発明が解決しようとする課題】
【０００４】
しかしながら、従来の技術は、ハンチング現象を防止するための制御であり、実際にハンチング現象が発生してから、ハンチング現象を解消するための制御ではない。そのためハンチング現象が発生することによって、長時間混合弁の開度が安定せず、混合弁の耐久性が悪化してしまうという課題を有していた。
【０００５】
本発明は、前記従来の課題を解決するもので、ハンチング現象が発生しても、短時間でハンチング現象を解消し、混合弁の耐久性を向上させることができる貯湯式給湯器を提供することを目的とする。
【課題を解決するための手段】
【０００６】
前記従来の課題を解決するため、本発明の貯湯式給湯器は、湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度変化状態を、前記制御装置が複数回検出した際に、前記第１湯水混合装置の駆動速度を遅くすることにより、ハンチング現象の発生を検知すると第１湯水混合装置の駆動速度を遅くするので、ハンチング現象を解消することができ、混合弁の耐久性を向上させることができる。
【０００７】
また、本発明の貯湯式給湯器は、湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を
検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度が上下に周期的に変動する状態を、前記制御装置が複数回検出した際に、前記第１湯水混合装置を所定位置に駆動することにより、使用状況に合わせた混合弁の開度を選択し、その開度になるように制御することができるので、ハンチング現象を長時間継続することを抑制することができる。
【０００８】
また、本発明の貯湯式給湯器は、湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度が上下に周期的に変動する状態を、前記制御装置が複数回検出した際に、前記第１湯水混合装置を所定位置に駆動するとともに、前記第１湯水混合装置の駆動速度を遅くすることにより、使用状況に合わせた開度に設定できるとともに、駆動速度もさらに遅くするのでハンチング現象を確実に抑制することができる。
【発明の効果】
【０００９】
本発明は、ハンチング現象が発生しても、短時間でハンチング現象を解消し、混合弁の耐久性を向上させることができる。
【発明を実施するための最良の形態】
【００１０】
第１の発明の貯湯式給湯器は、湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度変化状態を、前記制御装置が複数回検出した際に、前記第１湯水混合装置の駆動速度を遅くすることにより、ハンチング現象の発生を検知すると第１湯水混合装置の駆動速度を遅くするので、ハンチング現象を解消することができ、混合弁の耐久性を向上させることができる。
【００１１】
第２の発明の貯湯式給湯器は、湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度が上下に周期的に変動する状態を、前記制御装置が複数回検出した際に、前記第１湯水混合装置を所定位置に駆動することにより、使用状況に合わせた混合弁の開度を選択し、その開度になるように制御することができるので、ハンチング現象を長時間継続することを抑制することができる。
【００１２】
第３の発明の貯湯式給湯器は、湯水を貯える貯湯タンクと、前記貯湯タンクの上方部より高温水を出湯する第１出湯管と、給水源から水を供給する給水管と、前記第１出湯管と前記給水管とを接続し湯水を混合する第１湯水混合装置と、前記第１湯水混合装置によって混合した湯水を給湯端末へ供給する第１給湯管と、前記第１給湯管を流れる湯の流量を検出する第１流量検知手段と、前記第１湯水混合装置の下流側に混合した湯水の温度を検出する第１温度検出手段と、前記第１湯水混合装置を制御する制御装置とを備え、前記第１温度検出手段で検出される温度が、設定温度に対して所定温度以上であることを検出し、その後、設定温度に対して所定温度以下であることを検出する温度が上下に周期的に変動する状態を、前記制御装置が複数回検出した際に、前記第１湯水混合装置を所定位置に駆動するとともに、前記第１湯水混合装置の駆動速度を遅くすることにより、使用状況に合わせた開度に設定できるとともに、駆動速度もさらに遅くするのでハンチング現象を確実に抑制することができる。
【００１３】
第４の発明の貯湯式給湯器は、特に第１〜第３のいずれか１つの発明において、前記貯湯タンクの下部から水を取り出して加熱部に供給し、前記加熱部で温水を生成して前記貯湯タンクの上部に湯を供給することにより、積層状態で貯湯タンクに湯を貯えることができるので、効率の良い沸き上げを行うことができるとともに、貯湯タンク内で湯が攪拌されることがない。
【００１４】
第５の発明の貯湯式給湯器は、特に第４の発明において、前記加熱部はヒートポンプであることにより、効率の良い沸き上げを行うことができる。
【００１５】
第６の発明の貯湯式給湯器は、特に第５の発明において、前記ヒートポンプに使用する冷媒は二酸化炭素であることにより、製品コストを抑えるとともに、信頼性を向上させることができる。
【００１６】
以下、本発明の実施の形態について、図面を参照しながら説明する。なお、この実施の形態によって本発明が限定されるものではない。
【００１７】
（実施の形態１）
図１は、本実施の形態における貯湯式給湯器の構成図である。図１において、本実施の形態の貯湯式給湯器は、貯湯タンク１を有し、貯湯タンク１内に高温の湯を貯め、給湯端末や風呂等に貯湯タンク１内の高温の湯を供給している。貯湯タンク１の下部には、給水口２が設けられており、給水管３を経て給水源から貯湯タンク１に水が供給される。
【００１８】
貯湯タンク１内の高温水は、ヒートポンプ４によって生成されている。ヒートポンプ４は、水と冷媒とを熱交換させる水冷媒熱交換器５と、冷媒を圧縮する圧縮機６と、空気と冷媒とを熱交換させる蒸発器７と、減圧装置８とを冷媒配管によって順次環状に接続して構成され、冷媒には二酸化炭素を使用しているため、高圧側が臨界圧力を超えるので、水冷媒熱交換器５を流通する水に熱を奪われて温度が低下しても凝縮することがなく、水冷媒熱交換器５で冷媒と水との間で温度差を形成しやすくなり、高温の湯が得られ、かつ熱交換効率を高くすることができる。また、比較的安価で、かつ安定な二酸化炭素を冷媒に使用しているので、製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球環境に優しい製品を提供できる。
【００１９】
また、ヒートポンプ４において、圧縮機６で冷媒が圧縮され、圧縮機６から吐出された冷媒が水冷媒熱交換器５で放熱し、減圧装置８で減圧されたあと、蒸発器７で空気から熱を吸収し、ガス状態で再び圧縮機６に吸入される。なお、圧縮機の能力制御および減圧装
置８の開度制御は、圧縮機６の吐出側に設けたサーミスタ（図示せず）で検出される吐出冷媒の温度が予め設定された温度を維持するように制御される。また、貯湯タンク１内の湯水は、水ポンプ９が作動することで、水冷媒熱交換器５に流入し、冷媒と熱交換を行い、再び貯湯タンク１に戻り、積層状態で貯湯タンク１の上部に高温の湯が貯えられる。
【００２０】
次に、カラン等の給湯端末１０および浴槽１１への湯の供給について説明する。貯湯タンク１の上方部には、給湯端末１０へ高温の湯を出湯する第１出湯管１２および浴槽１１へ高温の湯を出湯する第２出湯管１３が設けられている。しかしながら、本実施の形態では、貯湯タンク１の天部に出湯口を設けているが、これに限定されることはなく、例えば、貯湯タンク１の上から５０Ｌ程度のところに出湯口を設けて高温水を供給しても問題はない。
【００２１】
まず給湯端末１０への給湯について説明する。第１出湯管１２からの高温水と、給水管３から分岐した配管を経て供給される水とを第１湯水混合装置である電動式混合弁１４で混合する。そして電動式混合弁１４の下流である第１給湯管４１には、湯水の温度を検出する第１温度検出手段であるサーミスタ１５および湯水の流量を検出する第１流量検知手段である流量検出装置１６を備えている。通常、電動式混合弁１４の制御は、サーミスタ１５で検出する温度が、使用者が設定した設定温度となるように、フィードバック制御が行われる。
【００２２】
同様に、浴槽１１への給湯について説明する。第２出湯管１３からの高温水と、給水管３から分岐した配管を経て供給される水とを第２湯水混合装置である電動式混合弁１７で混合する。そして電動式混合弁１７の下流には、湯水の温度を検出する第２温度検出手段であるサーミスタ１８および湯水の流量を検出する第２流量検知手段である流量検出装置１９を備えている。そしてサーミスタ１８と流量検出装置１９の間には、浴槽１１への湯の供給を開始／停止する電磁弁２０を備えており、浴槽１１への湯の供給時には、電磁弁２０を開くことによって湯の供給を開始する。また、電動式混合弁１７の制御も、サーミスタ１８で検出する温度が、使用者が設定した設定温度となるように、フィードバック制御が行われる。また、本実施の形態の貯湯式給湯器には、コントローラ３０を備えており、電動式混合弁や流量検知手段からデータを入手し、制御を行っている。
【００２３】
図２は、本実施の形態における通常時の混合弁の制御における駆動速度をテーブル表示したものである。例えば、流量検出装置１６で検出される湯の流量が４．０Ｌ／ｍｉｎであり、かつ、サーミスタ１５と設定温度との差の絶対値が４．０Ｋであった場合、図２に従って電動式混合弁１４の駆動速度を決定するので、電動式混合弁１４は１００．０（Ｐｕｌｓｅ／Ｓｅｃｏｎｄ）の駆動速度で駆動することになる。本実施の形態では、２．５Ｌ／ｍｉｎ未満の流量を低流量、４．０Ｌ／ｍｉｎ未満の流量を中流量、４．０／ｍｉｎ以上の流量を高流量と定義しており、図２に示すテーブルに従って、電動式混合弁１４の駆動速度を決定している。
【００２４】
しかしながら、図２に示すように、温度偏差が１４Ｋ以上の時の駆動速度を見ると、駆動速度が速いために、駆動速度が速いまま、ハンチング現象を継続し続けるとハンチング現象が収束しないまま、混合弁の耐久性を悪化させてしまうため、ハンチング現象を解消する必要がある。本実施の形態では、ハンチング現象を解消するために、ある条件化のハンチング現象を検知すると、通常制御の混合弁の駆動速度のテーブルではなく、ハンチング解消制御の混合弁の駆動速度のテーブルを使用することによって、温度が上下に振れる振れ幅を小さくし、ハンチング現象を解消している。
【００２５】
給湯端末１０への単独給湯時の具体的な制御について、図３のフローチャートを用いて説明する。図３において、ＳＴＥＰ１では、流量検出装置１６で流量を検出して、大流量
（４．０Ｌ／ｍｉｎ以上）か、中流量（２．５Ｌ／ｍｉｎ以上、４．０Ｌ／ｍｉｎ未満）か、小流量（２．５Ｌ／ｍｉｎ未満）かを判断する。なお、流量域を決定する際の閾値等は、これに限定されるものではなく、システムの使用にあわせて適宜変更できるものである。
【００２６】
次に、ＳＴＥＰ２では、現在の流量と、サーミスタ１５で検出される温度と設定温度との差（温度偏差）から決定される駆動速度（図２に示す）で通常の制御を行う。例えば、現在の給湯端末へ供給される湯の流量が、４．０Ｌ／ｍｉｎを検知したときには、大流量が選択される。さらに、サーミスタ１５で検知される温度と、設定温度との差が４Ｋの時には、図２より１００．０（ＰＰＳ）が選択され、駆動制御される。
【００２７】
次に、ＳＴＥＰ３では、サーミスタ１５で検出される温度が、設定温度＋所定温度以上を検知し、次に設定温度−所定温度以下を検知するというように、上下に温度変動が発生し、それが複数回起こっているかどうかを検知する。
【００２８】
図４に設定温度を挟んで、所定温度だけ上下に温度変動している様子を示す。図４に示すように、設定温度＋所定温度以上を検知し、さらにその後、設定温度−所定温度以下を検知しているこの周期を１周期とし、この周期を複数回検知することによって、ハンチング現象が発生していると判断している。以下に、設定温度４０℃、所定温度１４℃として本実施の形態では説明するが、これに限定されるものではない。
【００２９】
例えば、設定温度が４０℃に設定されているときに、サーミスタ１５で検知される温度が、５４℃（４０℃＋１４℃）以上であり、次に、２６℃（４０℃−１４℃）以下を周期的に検知した場合、この周期を複数回（本実施の形態においては、３回とする）検知すればハンチング現象が発生していると判断する。
【００３０】
もし、ハンチング現象が発生していなければ、ＳＴＥＰ４では図２に示す駆動速度で通常制御を行う。しかしながら、ＳＴＥＰ３でハンチング現象が発生していると判断されれば、図５に示す駆動速度でハンチング解消制御を行う。
【００３１】
図５に示すように、通常制御に比べ、ハンチング解消制御では、駆動速度を通常制御時に比べ、おおよそ半減した駆動速度を用いて制御を行っている。このようにハンチング現象を検知すると、駆動速度を通常制御に比べて遅くすることによって、ハンチング現象の継続時間を短時間に抑えることができるため、快適な温度制御を行うことができる。なお、本実施の形態では、ハンチング解消制御の駆動速度を、通常制御の駆動速度の約半分としているが、これに限定されることはなく、システムの仕様によって変更することが可能である。
【００３２】
（実施の形態２）
実施の形態２における貯湯式給湯機の構成は、実施の形態１における貯湯式給湯機の構成と同じであるので、実施の形態１と同じ符号を付して、その説明を省略する。実施の形態１では、電動式混合弁１４もしくは電動式混合弁１７の制御は、ハンチング現象を検知してから、駆動速度を変更して、ハンチング現象を解消していた。実施の形態２では、電動式混合弁１４もしくは電動式混合弁１７の駆動方法を、実施の形態１から変更しており、その他の制御については実施の形態１と同じである。
【００３３】
実施の形態２における通常の電動式混合弁１４もしくは電動式混合弁１７の駆動は、実施の形態１と同じように、電動式混合弁１４（１７）の下流側に設けられているサーミスタの温度を検知しながら、フィードバック制御を行っている。そして電動式混合弁１４（１７）は、図２のテーブルに示す流量によって変化する駆動速度で駆動されている。
【００３４】
また、給湯端末１０への単独給湯時の具体的な制御は、実施の形態１と同じように図３のフローチャートに基づく。図３において、ＳＴＥＰ１では、流量検出装置１６で流量を検出して、大流量（４．０Ｌ／ｍｉｎ以上）か、中流量（２．５Ｌ／ｍｉｎ以上、４．０Ｌ／ｍｉｎ未満）か、小流量（２．５Ｌ／ｍｉｎ未満）かを判断する。なお、流量域を決定する際の閾値等は、これに限定されるものではなく、システムの使用にあわせて適宜変更できるものである。
【００３５】
次に、ＳＴＥＰ２では、現在の流量と、サーミスタ１５で検出される温度と設定温度との差（温度偏差）から決定される駆動速度（図２に示す）で通常の制御を行う。例えば、現在の給湯端末へ供給される湯の流量が、４．０Ｌ／ｍｉｎを検知したときには、大流量が選択される。さらに、サーミスタ１５で検知される温度と、設定温度との差が４Ｋの時には、図２より１００．０（ＰＰＳ）が選択され、駆動制御される。
【００３６】
次に、ＳＴＥＰ３では、サーミスタ１５で検出される温度が、設定温度＋所定温度以上を検知し、次に設定温度−所定温度以下を検知するというように、上下に温度変動が発生し、それが複数回起こっているかどうかを検知する。
【００３７】
図４に設定温度を挟んで、所定温度だけ上下に温度変動している様子を示す。図４に示すように、設定温度＋所定温度以上を検知し、さらにその後、設定温度−所定温度以下を検知しているこの周期を１周期とし、この周期を複数回検知することによって、ハンチング現象が発生していると判断している。以下に、設定温度４０℃、所定温度１４℃として本実施の形態では説明するが、これに限定されるものではない。
【００３８】
例えば、設定温度が４０℃に設定されているときに、サーミスタ１５で検知される温度が、５４℃（４０℃＋１４℃）以上であり、次に、２６℃（４０℃−１４℃）以下を周期的に検知した場合、この周期を複数回（本実施の形態においては、３回とする）検知すればハンチング現象が発生していると判断する。
【００３９】
もし、ハンチング現象が発生していなければ、ＳＴＥＰ４では図２に示す駆動速度で通常制御を行う。しかしながら、ＳＴＥＰ３でハンチング現象が発生していると判断されれば、図６に示すような開度となるように、電動式混合弁１４を駆動させて、ハンチング解消制御を行う。例えば、流量検知手段が低流量を検知しているとすると、電動式混合弁の開度を湯側が９０パーセントとなるように、混合弁の開度を制御する。
【００４０】
図６に示すように、通常制御に比べ、ハンチング解消制御では、予め設定された開度に設定し、その後サーミスタに基づくフィードバック制御を行うので、ハンチング現象を解消することができる。また、図６に示すように、大流量に比べて低流量の方が、湯側に大きく開度を開いているが、これは、流量が低いほど、湯が供給されにくい構成であるので、湯を確保するために流量が低いほど湯側の開度を開いて、温度を適温に混合している。なお、図６に示す予め設定している開度は、実験値であり、状況に応じて変更することができる。
【００４１】
また、予め設定された開度に設定した後の駆動速度を、実施の形態１に示すように、遅い駆動速度に変更することによって、ハンチング現象を確実に収束することができる。
【００４２】
以上のように、流量に応じた開度で混合弁を制御することにより、ハンチング現象の収束をすることができ、より快適な温度制御を行うことができる。さらに、電動式混合弁のモータロック異常による電動式混合弁不良を無くすことができる。
【産業上の利用可能性】
【００４３】
以上のように、本発明はヒートポンプ式の貯湯式温水器に限らず、電気、ガス、石油、燃料電池などいずれの方式においても、混合弁を使用した給湯器に利用することができる。
【図面の簡単な説明】
【００４４】
【図１】本発明の実施の形態１における貯湯式温水器のシステム構成図
【図２】同実施の形態における電動式混合弁の駆動速度を示した図
【図３】同実施の形態における電動式混合弁の制御チャート
【図４】同実施の形態における電動式混合弁の湯温変化図
【図５】同実施の形態における電動式混合弁の駆動速度を示した図
【図６】本発明の実施の形態２における電動式混合弁の駆動開度を示した図
【符号の説明】
【００４５】
１  貯湯タンク
２  給水口
３  給水管
４  ヒートポンプ
５  水冷媒熱交換器
６  圧縮機
７  蒸発器
８  減圧装置
９  水ポンプ
１０  給湯端末
１１  浴槽
１２  第１出湯管
１３  第２出湯管
１４  電動式混合弁
１５  サーミスタ
１６  流量検出装置
１７  電動式混合弁
１８  サーミスタ
１９  流量検出装置
２０  電磁弁
【図１】
2009063276.tif 000003
【図２】
2009063276.tif 000004
【図３】
2009063276.tif 000005
【図４】
2009063276.tif 000006
【図５】
2009063276.tif 000007
【図６】
2009063276.tif 000008